(57)【要約】【課題】床の反りや突き上げを抑制し易く、施工が容易であり木質感の高い木質内装仕上げ材を提供すること。【解決手段】単板からなる第１層２１と、第１層２１の裏面側に配された単板からなる第２層２２と、第２層２２の裏面側に配された単板からなる第３層２３とを含む積層構造を有する木部２を備えた木質内装仕上げ材１であって、第２層２２の単板の繊維の配向方向は、第１層２１の単板の繊維の配向方向と異なっており、第３層２３の単板の繊維の配向方向は、第２層２２の単板の繊維の配向方向と異なっており、木質内装仕上げ材１の幅方向Ｙにおける木部２の端部２ｅに面取り加工が施されている。【選択図】図１
2019025866.tif 000002
【特許請求の範囲】
【請求項１】
単板からなる第１層と、第１層の裏面側に配された単板からなる第２層と、第２層の裏面側に配された単板からなる第３層とを含む積層構造を有する木部を備える木質内装仕上げ材であって、
第２層の単板の繊維の配向方向は、第１層の単板の繊維の配向方向と異なっており、
第３層の単板の繊維の配向方向は、第２層の単板の繊維の配向方向と異なっており、
前記木質内装仕上げ材の幅方向における前記木部の端部に面取り加工が施されている、木質内装仕上げ材。
【請求項２】
第１層の厚みが、前記木部の厚みの１５％以上である、請求項１に記載の木質内装仕上げ材。
【請求項３】
前記木部の厚みが０．５ｍｍ以上６．０ｍｍ以下である、請求項１又は２に記載の木質内装仕上げ材
【請求項４】
前記木質内装仕上げ材の幅方向における第１層の端部の曲率半径が、該幅方向における第２層の端部の曲率半径よりも大きい、請求項１〜３の何れか１項に記載の木質内装仕上げ材。
【請求項５】
前記木部の裏面側に接合部層を備えている、請求項１〜４の何れか１項に記載の木質内装仕上げ材。
【請求項６】
接合部層は、軟質シートにより形成されている、請求項１〜５の何れか１項に記載の木質内装仕上げ材。
【請求項７】
接合部層は、接着シートにより形成されている、請求項１〜５の何れか１項に記載の木質内装仕上げ材。
【発明の詳細な説明】
【技術分野】
【０００１】
本発明は、住宅又は非住宅の床、壁又は天井等の建材として用いることができる木質内装仕上げ材に関する。
【背景技術】
【０００２】
近年、オフィスや店舗等の非住宅において内装を木質化するニーズが高まっており、例えば床材として、従来の木調樹脂シートフロアではなく、より木質感を高めた天然化粧単板を貼り合わせた製品が多く用いられるようになっている。このため、床材等として用いる内装仕上げ材に関する技術が種々開発されており、例えば、複数の単板や中質繊維版等を積層させた内装仕上げ材が知られている（特許文献１〜３）。
【０００３】
特許文献１に記載の複合化粧床材は、中質繊維板の下面に、３枚以上の単板を最下層の単板の繊維の配向方向を床材の幅方向に配向させた態様で積層し、該中質繊維板の上面に化粧単板を貼着させたものである。
【０００４】
特許文献２に記載の床材は、突板等で形成された第１の層と、半裁中密度繊維板で形成された第２の層と、軟質シートで形成された第３の層と、樹脂含浸紙等で形成された第４の層とをこの順で備えたものである。
【０００５】
特許文献３に記載の除湿床板は、複数枚の単板を接着剤の存在下に加熱、加圧し、上記単板の層間において、除湿シートを上下対称に位置するように介在させ、該防湿シートの貼着と単板の積層とを同時に行って得られた防湿合板に表面化粧材として突き板を貼着してなるものである。
【先行技術文献】
【特許文献】
【０００６】
【特許文献１】特開平５−１４７００２号公報
【特許文献２】特開２０１４−１７７８０８号公報
【特許文献３】特開２００９−１９０３１０号公報
【発明の概要】
【発明が解決しようとする課題】
【０００７】
しかしながら、特許文献１に記載の複合化粧床材は、施工するためには複合化粧床材の四周側面に本サネ等の接合手段を加工形成する必要があり、従って施工時に、雄ザネと雌ザネを組み込みビス等で固定する作業が発生するため施工負荷が大きくなってしまう。
【０００８】
また特許文献２に記載の床材は、第２の層に半裁中密度繊維板を使用しており、床材の端部に面加工を施した場合に、基材である半裁中密度繊維板が表出するため外観の質が低下し市場価値が下がってしまう。
【０００９】
また特許文献３に記載の除湿床板は、床材のそりを解決する手段として防湿シートを床材基材である合板の上下表面に貼着しているが、防湿シートそのものを用意するために費用がかかり、また防湿シートを貼着する手間が発生し作業工程が増加するため、床板を製造するためのコストが高くなってしまう。
【００１０】
従って、本発明の目的は、床の反りや突き上げを抑制し易く、木質感の高い木質内装仕上げ材を提供することにある。
【課題を解決するための手段】
【００１１】
本発明は、単板からなる第１層と、第１層の裏面側に配された単板からなる第２層と、第２層の裏面側に配された単板からなる第３層とを含む積層構造を有する木部を備える木質内装仕上げ材であって、第２層の単板の繊維の配向方向は、第１層の単板の繊維の配向方向と異なっており、第３層の単板の繊維の配向方向は、第２層の単板の繊維の配向方向と異なっており、前記木質内装仕上げ材の幅方向における前記木部の端部に面取り加工が施されている、木質内装仕上げ材を提供することにより、上記目的を達成したものである。
【発明の効果】
【００１２】
本発明によれば、床の反りや突き上げを抑制し易く、施工が容易である木質感の高い木質内装仕上げ材を提供することができる。
【図面の簡単な説明】
【００１３】
【図１】図１は、本発明の好ましい実施形態に係る木質内装仕上げ材の斜視図である。
【図２】図２は、図１のＩ−Ｉ線断面図である。
【図３】図３（ａ）は、図１に示す木質内装仕上げ材の木部の拡大断面図であり、図３（ｂ）は、図１に示す木質内装仕上げ材の木部の上面図である。
【図４】図４は、本発明の他の実施形態に係る木質内装仕上げ材の木部の拡大断面図である。
【図５】図５は、本発明の他の実施形態に係る木質内装仕上げ材の斜視図である。
【発明を実施するための形態】
【００１４】
以下、本発明をその好ましい実施形態に基づいて詳細に説明する。
【００１５】
図１に本発明の好ましい実施形態に係る木質内装仕上げ材１を示す。木質内装仕上げ材１は、一方向Ｘに長い形状を有している。本実施形態では、Ｘ方向を木質内装仕上げ材１の長手方向とし、Ｘ方向に直交する方向Ｙを木質内装仕上げ材１の幅方向とする。尚、Ｚ方向は、木質内装仕上げ材１の厚み方向である。
【００１６】
木質内装仕上げ材１は、積層構造を有する木部２を備え、その木部２の裏面側に接合部層４を備えている。木質内装仕上げ材１及びその構成部材においては、木質内装仕上げ材１を床、天井又は壁等として使用した場合に、室内側に向けられる面を表面とし、室内側に向けられる面とは反対側の面を裏面とする。
【００１７】
木部２は、図１及び図２に示すように、第１層２１と、第１層２１の裏面側に配された第２層２２と、第２層２２の裏面側に配された第３層２３とを含む積層構造を備えている。第１層２１、第２層２２及び第３層２３は、それぞれ、単板により形成されている。木部２において、第１層２１と第２層２２並びに第２層２２と第３層２３とは接着剤を介して接合されている。前記接着剤としては、第１層２１と第２層２２並びに第２層２２と第３層２３とを接合することができるものであれば、その種別は問わず、公知の接着剤を使用することができるが、該接着剤としては、各層２１，２２，２３を形成する単板どうしを強固に接合する観点から、水性高分子イソシアネート系接着剤を使用することが好ましい。
【００１８】
木部２は、図１及び図２に示すように、幅方向Ｙにおける木部２の端部２ｅに面取り加工が施されている。面取り加工としては、Ｃ加工、Ｒ加工等が挙げられる。面取り加工は、木質内装仕上げ材１の表面側の角部に、木質内装仕上げ材１の上面Ｕ及び側面に対して傾斜した平面状の傾斜面が形成されるＣ加工、又は木質内装仕上げ材１の表面側の角部に、木質内装仕上げ材１の上面Ｕから側面に亘って連続する断面円弧状の曲面が形成されるＲ加工であることが好ましい。木質内装仕上げ材１の上面Ｕは、木質内装仕上げ材１の表面のうち面取り加工が施された部分以外の部分であり、通常、厚み方向と直交する面である。
本発明における面取り加工には、面取り加工によって形成される傾斜面（Ｃ面）や断面円弧状の曲面（Ｒ面）の下端が、木部２の下端より上方に位置する場合と、面取り加工によって形成される傾斜面（Ｃ面）や断面円弧状の曲面（Ｒ面）の下端が、木部２の下端に達している場合の両者が含まれる。Ｃ加工によって形成される傾斜面（Ｃ面）は、上面Ｕに対する傾斜角度は４５度に限られず、例えば３０度以上６０度以下の範囲の任意の角度とすることができる。
【００１９】
木部２は、上述のように、単板からなる第１層２１と、第１層２１の裏面側に配された単板からなる第２層２２と、第２層２２の裏面側に配された単板からなる第３層２３とを含む積層構造を備えているので、幅方向Ｙにおける木部２の端部２ｅに面取り加工が施されていても、木部２の表面側から上面視したときに、単板からなる第１層２１、第２層２２又は第３層２３のうちの何れかが木部２の表面に露出していることになり、木質内装仕上げ材１の木質感が損なわれることを防ぐことができる〔図３（ｂ）参照〕。
【００２０】
第１層２１、第２層２２及び第３層２３を形成する単板は、それぞれ、繊維の配向方向を有している。そして、図３（ａ）に示すように、第１層２１を形成する単板の繊維の配向方向は、木質内装仕上げ材１の長手方向Ｘと一致している。繊維の配向方向が木質内装仕上げ材１の長手方向Ｘと一致しているとは、繊維の配向方向と該長手方向Ｘとのなす角が４５度未満（より好ましくは１５度未満）であることを意味している。第２層２２を形成する単板の繊維の配向方向は、木質内装仕上げ材１の幅方向Ｙと一致しており、第１層２１を形成する単板の繊維の配向方向と異なっている。繊維の配向方向が木質内装仕上げ材１の幅方向Ｙと一致しているとは、繊維の配向方向と該幅方向Ｙとのなす角が４５度未満（より好ましくは１５度未満）であることを意味している。第３層２３を形成する単板の繊維の配向方向は、木質内装仕上げ材１の長手方向Ｘと一致しており、第２層２２を形成する単板の繊維の配向方向と異なっている。
第１層２１を構成する単板は、繊維の配向方向が木質内装仕上げ材１の長手方向Ｘと平行であることが好ましく、第２層２２を構成する単板は、繊維の配向方向が、木質内装仕上げ材１の幅方向Ｙと平行であることが好ましい。第３層２３を構成する単板は、繊維の配向方向が、第１層２１を構成する単板の繊維の配向方向と平行でも非平行であっても良いが、平行であることが好ましく、第３層２３を構成する単板の繊維の配向方向も、木質内装仕上げ材１の長手方向Ｘと平行であることがより好ましい。
【００２１】
第２層２２を形成する単板の繊維の配向方向が、第１層２１を形成する単板の繊維の配向方向と異なっており、第３層２３を形成する単板の繊維の配向方向が、第２層２２を形成する単板の繊維の配向方向と異なっているので、各層２１，２２，２３を形成する各単板の伸縮が抑制され、木部２の厚みを薄くした場合でも木質内装仕上げ材１が反り難くなる。
【００２２】
木部２を構成する各単板は、例えば、スライサーにより木材フリッチを切削することにより得られたものや、ロータリーレースにより丸太を切削することにより得られたもの等を用いることができ、比較的綺麗な木目が表れるようにして木質感を高める観点から、スライサーを用いて得られたものを用いることが好ましい。
また各単板の原料木材の樹種は、針葉樹でも広葉樹でも良く、例えば、オーク、チーク、ウォルナット、ファルカタ、レッドラワン、タモ、ニレ、カバ、スギ、ヒノキ、ヒバ、ホワイトウッド、オウシュウアカマツ等を用いることができるが、木質内装仕上げ材１の表面に、比較的綺麗な木目が表れるようにして木質感を高める観点から、各単板の原料木材、特に第１層２１を構成する単板の原料木材は、オーク、チーク、ウォルナット等の広葉樹であることが好ましい。
【００２３】
第１層２１を形成する単板の厚みｔ２１は、木質内装仕上げ材１の幅方向における端部に施された面取り加工部に、比較的綺麗な木目が表れるようにして木質感を高める観点、木質内容仕上げ材１を薄くまたは軽くし施工性を向上させる観点（例えば床等の既存の内装仕上げ材の上から直接改修施工し易くする観点）、及び木質内装仕上げ材１の反りを軽減する観点から、０．３ｍｍ以上１．２ｍｍ以下であることが好ましく、より好ましくは０．４ｍｍ以上０．７ｍｍ以下であり、更に好ましくは０．４ｍｍ以上０．５ｍｍ以下である。
また、第１層２１を形成する単板の厚みｔ２１は、木部２の厚みＴ２に対して、木質内装仕上げ材１の幅方向における端部に施された面取り加工部に、比較的綺麗な木目が表れるようにして木質感を高める観点から、１５％以上であることが好ましく、より好ましくは２５％以上であり、更に好ましくは３０％以上であり、木質内容仕上げ材１を薄くまたは軽くして床等の既存の内装仕上げ材の上から直接改修施工し易くし施工性を向上させるとともに木質内装仕上げ材１の反りを軽減する観点から、４５％以下であることが好ましく、より好ましくは４０％以下であり、更に好ましくは３５％以下である。
【００２４】
第２層２２を形成する単板の厚みｔ２２は、木部２の厚みＴ２に対して、木質内装仕上げ材１の反りを軽減する観点から、１０％以上７０％以下であることが好ましく、より好ましくは２０％以上６０％であり、更に好ましくは３０％以上５０％以下である。
【００２５】
木質内装仕上げ材１の反りを軽減する観点から、第３層２３を形成する単板の厚みｔ２３は、第１層２１を形成する単板の厚みｔ２１と近い値であることが好ましく、例えば、第１層２１を形成する単板の厚みｔ２１に対して第３層２３を形成する単板の厚みｔ２３が８０％以上１２０％以下であることが好ましく、９０％以上１１０％以下であることより好ましい。同様の観点から、第１層２１を形成する単板の厚みｔ２１と第３層２３を形成する単板の厚みｔ２３が同じであることが更に好ましい。同じであるとは、第１層２１を形成する単板の厚みｔ２１に対して第３層２３を形成する単板の厚みｔ２３が９５％以上１０５％以下であることを意味する。
同様の観点から、第３層２３を形成する単板の厚みｔ２３は、木部２の厚みＴ２に対して、１５％以上であることが好ましく、より好ましくは２５％以上であり、更に好ましくは３０％以上であり、木質内容仕上げ材１を薄くまたは軽くし施工性を向上させる観点（例えば床等の既存の内装仕上げ材の上から直接改修施工し易くする観点）、及び木質内装仕上げ材１の反りを軽減する観点から、４５％以下であることが好ましく、より好ましくは４０％以下であり、更に好ましくは３５％以下である。
【００２６】
木部２の厚みＴ２は、木質感のある外観を得る観点及び薄く軽量であることによる施工性の向上の観点（例えば床等の既存の内装仕上げ材の上から直接改修施工し易くする観点）から、０．５ｍｍ以上６ｍｍ以下であることが好ましく、より好ましくは１．０ｍｍ以上３ｍｍ以下であり、更に好ましくは１．２５ｍｍ以上２．５ｍｍ以下であり、とりわけ好ましくは１．５ｍｍ以上２ｍｍ以下である。木部２の厚みＴ２は、特に木部２を構成する各層２１，２２，２３の前述した好ましい厚みやその割合との関係においても、かかる数値範囲であることが好ましい。
【００２７】
尚、第１層２１を形成する単板の厚みと、第２層２２を形成する単板の厚みと、第３層２３を形成する単板の厚みとは同じであってもよいし、それぞれ異なっていてもよい。
【００２８】
木部２の端部２ｅに形成された面取り加工部には、該面取り加工部の上端から下端に亘って単一の曲率半径である断面円弧状の曲面が形成されていてもよいし、曲率半径が異なる断面円弧状の複数の曲面が厚み方向に並んで形成されていてもよい。本実施形態においては、図３に示すように、面取り加工部の上端は、断面円弧状の曲面と木質内装仕上げ材１の上面Ｕとの境界部に位置し、面取り加工部の下端は木部２の下端に位置している。
【００２９】
木部２の端部２ｅは、図４に示す実施形態のように、木部２の下端側に位置する小曲率端部ｅＲと、上面Ｕ側に位置し、小曲率端部ｅＲよりも曲率が大きい大曲率端部ｅｒとを有することが好ましい。小曲率端部ｅＲは、曲率が大曲率端部ｅｒの曲率よりも小さく、曲率半径Ｒが大曲率端部ｅｒの曲率半径ｒよりも大きい。小曲率端部ｅＲは、大曲率端部ｅｒよりも木部２の表面側に設けられている。このように木部２の表面側に曲率半径が大きい小曲率部ｅＲを設け、木部２の裏面側に曲率半径が小さい大曲率端部ｅｒを設けることで、木部２の端部２ｅを、木質内装仕上げ材１の表面側から上面視したときに、木部２の端部２ｅにおける小曲率端部ｅＲの占める割合が大きくなり、木質内装仕上げ材１の木質感をより高めることができる。小曲率端部ｅＲの曲率半径Ｒと、大曲率端部ｅｒの曲率半径ｒとの比（Ｒ／ｒ）は、２．０〜１０．０であることが好ましく、より好ましくは３．０〜８．０であり、更に好ましくは４．０〜５．０である。
【００３０】
小曲率端部ｅＲは、図４に示すように、第１層２１の端部２１ｅを含んでいる。小曲率端部ｅＲの周面は第１層２１の端部２１ｅの周面から形成されており、小曲率端部ｅＲの曲率半径Ｒと第１層２１の端部２１ｅの曲率半径とは同じである。また小曲率端部ｅＲの厚み方向Ｚの長さｔＲと第１層２１を形成する単板の厚みｔ２１とが同じであることが好ましい。小曲率端部ｅＲの厚み方向Ｚの長さｔＲと第１層２１を形成する単板の厚みｔ２１とが同じであるとは、小曲率端部ｅＲの厚み方向Ｚの長さｔＲに対する第１層２１を形成する単板の厚みｔ２１が９５％以上１０５％以下であることを意味する。
【００３１】
大曲率端部ｅｒは、図４に示すように、第２層２２の端部２２ｅと第３層２３の端部２３ｅとを含んでいる。大曲率端部ｅｒの周面は第２層２２の端部２２ｅ及び第３層２３の端部２３ｅの周面から形成されており、大曲率端部ｅｒの曲率半径ｒと第２層２２の端部２２ｅの曲率半径と第３層２３の端部２３ｅの曲率半径とは同じである。また小曲率端部ｅｒの厚み方向Ｚの長さｔｒと、第２層２２を形成する単板の厚みｔ２２と第３層２３を形成する単板の厚みｔ２３とを合わせた長さとが同じであることが好ましい。小曲率端部ｅｒの厚み方向Ｚの長さｔｒと、第２層２２を形成する単板の厚みｔ２２と第３層２３を形成する単板の厚みｔ２３とを合わせた長さとが同じであるとは、小曲率端部ｅｒの厚み方向Ｚの長さｔｒに対する第２層２２を形成する単板の厚みｔ２２と第３層２３を形成する単板の厚みｔ２３とを合わせた長さが９５％以上１０５％以下であることを意味する。尚、小曲率端部ｅＲと大曲率端部ｅｒとの境界は、第１層２１と第２層２２との境界となっていることが好ましい。
【００３２】
接合部層４は、木部２の裏面側に配されており、木質内装仕上げ材１は、接合部層４を介して、床下地等の木質内装仕上げ材１の接合対象に強固に接合される。接合部層４としては、木質内装仕上げ材１の使用用途に応じて各種適切なものを選択することができる。例えば、木質内装仕上げ材１を床材、壁材又は天井材等として使用するときに、下地に不陸が発生している場合には、接合部層４として、軟質シートを用いることが好ましい。軟質シートの構成材料としては、発泡塩化ビニル、塩化ビニル、発泡ポリエチレン、軟質塩化ビニル、軟質ウレタン等が挙げられ、木質内装仕上げ材１の反りや伸縮を抑える観点から、発泡ポリエチレン、発泡塩化ビニルを用いることが好ましい。また、軟質シートは、ゴム硬度、ショアＡで１０〜１００のものであることが好ましい。
接合部層４として、発泡ポリエチレンからなる軟質シートを用いる場合、接合部層４と第３層とは、ポリ酢酸ビニル樹脂エマルジョン接着剤により接合されていることが好ましい。接合部層４として軟質シートを用いることにより、木質内装仕上げ材１を施工する下地に不陸が発生している場合であっても、軟質シートからなる接合部層４が該不陸の凹凸に合わせて変形し易く、木質内装仕上げ材１を容易に下地に施工することができる。
【００３３】
また木質内装仕上げ材１を着脱可能に施工するには、接合部層４として接着シートを用いることが好ましい。接着シートとしては、吸着シート、マグネットシート、マジックテープ（登録商標）、粘着シート等が挙げられる。接合部層４として接着シートを用いることで、例えば、冷蔵庫、カーペット、壁、床、スチール机、スチール棚、建具等に木質内装仕上げ材１を簡便に施工することができる。
【００３４】
本実施形態の木質内装仕上げ材１は、第１層２１，第２層２２及び第３層２３を含む積層構造を備えた木部２を有しており、第１層２１と第２層２２とで単板の繊維の配向方向が異なっており、第２層２２と第３層２３とで単板の繊維の配向方向が異なっているので、木部２の厚みを薄くしても、木質内装仕上げ材１の反りや突き上げが発生し難いため、接合部層４として接着力の弱い接着シートを用いた場合であっても、木質内装仕上げ材１を施工対象に強固に施工することができる。
【００３５】
本発明の木質内装仕上げ材は、本実施形態の木質内装仕上げ材１のように接合部層４を備えることが好ましいが、接着剤層４を有するものに限られない。
【００３６】
本発明の木質内装仕上げ材は、接合部層４を有する場合及び接合部層４を有しない場合のいずれについても、外観、特に表面側から視た外観が意匠性に優れる上に、木部や全体の厚みを薄くすることができる。
木質内装仕上げ材１の厚みを薄くしても、反りや突き上げが発生し難いため、薄くすることによって、新設の床面及び既存の床面のいずれにも好ましく用いることができる。例えば、既存のフローリング製の床面上に、直接、木質内装仕上げ材１を並べて配置することにより、低コストで床面を改修することが可能である。また、木部２や全体の厚みを薄くできるため、木質内装仕上げ材の軽量化が可能で、施工も容易となる。
なお、本発明の木質内装仕上げ材は、既存の床面上に直接配置する使用方法に限定されず、住宅や非住宅に新設する床の床下地材上に仕上げ材として用いても良い。
【００３７】
本発明の木質内装仕上げ材は、上述した一又は二以上の効果を一層確実に得る観点から、接合部層４を有するか否かを問わず、全体の厚みが、１ｍｍ以上１５ｍｍ以下であることが好ましく、より好ましくは１ｍｍ以上５ｍｍ以下であり、更に好ましくは１ｍｍ以上２ｍｍ以下である。
【００３８】
以上、本発明の好ましい実施形態を示して説明したが、各発明は、上記の実施形態に制限されず適宜に変更可能である。例えば、本実施形態では、木部２の裏面側に接合部層４が配されているが、木部２の裏面側に接合部層４が配されていなくてもよい。また、第３層２３の裏面側に、単板から構成される第４層や更なる層を有し、第１層から第４層や更なる層に亘って面取り加工が施されていても良い。また木部２は木質内装仕上げ材１の幅方向Ｙに沿って面取り加工がなされていてもよい。
【００３９】
また、本実施形態では、小曲率端部ｅＲと大曲率端部ｅｒとの境界は第１層２１と第２層２２との境界となっており、小曲率端部ｅＲの周面は第１層２１の端部２１ｅの周面から形成されているが、小曲率端部ｅＲと大曲率端部ｅｒとの境界は第１層２１と第２層２２との境界よりも裏面側に位置していてもよく、小曲率端部ｅＲは第１層２１の端部２１ｅの周面と第２層２２の端部２２ｅの周面とから形成されていてもよい。このとき、小曲率端部ｅＲと大曲率端部ｅｒとの境界は第２層２２と第３層２３との境界と一致している又は第２層２２と第３層２３との境界よりも表面側であることが好ましい。
また、本実施形態では、木部２の端部２ｅは、小曲率端部ｅＲの曲率半径Ｒと大曲率端部ｅｒの曲率半径ｒとを有しているが、１種類の曲率半径のみを有していてもよい。また、木部２の端部２ｅにはＣ面加工が施されていてもよい。
【００４０】
また、木部２は、図５に示すように、木質内装仕上げ材１の長手方向Ｘに沿って溝５を備えていてもよい。溝５は木部２に溝加工を施して形成されたものであり、溝５は接合部層４には達していないことが好ましい。木部２が溝５を備えていることにより、外観上のアクセントになり多少の膨張収縮等にも対応することが可能になる。
【符号の説明】
【００４１】
１  木質内装仕上げ材
２  木部
２ｅ木部の端部
２１  第１層
２１ｅ  第１層の端部
２２  第２層
２２ｅ  第２層の端部
２３  第３層
２３ｅ  第３層の端部
４  接合部層
５溝
ｅＲ  小曲率端部
Ｒ  小曲率端部の曲率半径
ｅｒ  大曲率端部
ｒ  大曲率端部の曲率半径
Ｘ  木質内装仕上げ材の長手方向
Ｙ  木質内装仕上げ材の幅
【図１】
2019025866.tif 000003
【図２】
2019025866.tif 000004
【図３】
2019025866.tif 000005
【図４】
2019025866.tif 000006
【図５】
2019025866.tif 000007